(57)【要約】      （修正有）【課題】一度締結したのちに再締結することも可能であり、また、確実に所定以上の緩み止めの機能を果たすことができ、さらに、螺合構造全体での締め付け軸力の保持性を確保することのできる緩み止め螺合構造を提供する。【解決手段】ナット部１１の内螺子から連設する内螺子延長部を有した締めつけ部１２を具備するナット構造１と、前記締め付け部１２を挿通可能なワッシャ孔２１を有した板状のワッシャ構造２からなる。ワッシャ孔２１は、ワッシャ板の一面側に形成された、締めつけ部１２の解放時の外形よりも大きい孔形状からなる大径部から、板厚さ方向へ縮径して前記外形の最小部よりも小さい孔形状の小さい最小径部に至る縮径構造を、それぞれワッシャ板の一面側から他面寄りの位置にかけて有する。ナット構造の締結によって最小径部が締めつけ部１２を周着して締めつけることで圧着締結する。【選択図】図１
2012017814.tif 000002
【特許請求の範囲】
【請求項１】
ナット部１１の一端から延設され、ナット部１１の内螺子から連設する内螺子延長部を有した締めつけ部１２を具備するナット構造１と、
前記締め付け部１２を挿通可能なワッシャ孔２１を有した板状のワッシャ構造２とを具備してなり、
前記ワッシャ孔２１は、ワッシャ板の一面側に形成された、締めつけ部１２の解放時の外形よりも大きい孔形状からなる大径部から、板厚さ方向へ縮径して前記外形の最小部よりも小さい孔形状の小さい最小径部に至る縮径構造を、それぞれワッシャ板の一面側から他面寄りの位置にかけて有し、
ナット構造の締結によってワッシャ構造２とナット構造１とが近接することで、ワッシャ孔２１内での締め付け部１２の収容位置がずれて、最小径部が締めつけ部１２を周着して締めつけることで、内螺子延長部がボルトの外螺子を圧着締結することを特徴とする緩み止め螺合構造。
【請求項２】
前記締め付け部１２は、軸方向の延長先端に向かって外形が縮径してなる先端縮径部１２０を有し、前記ワッシャ孔２１は、前記先端縮径部１２０の長さ方向の縮径率よりも大きな縮径率で縮径した最縮径部分に前記最小径部２２ｔを有する請求項１記載の緩み止め螺合構造。
【請求項３】
前記最小径部２２ｔはワッシャの他面よりもワッシャ孔２１内へずれた位置に形成される請求項1又は２記載の緩み止め螺合構造。
【請求項４】
前記締めつけ部１２は、ナット部１１寄りの軸位置に、ナット部１１から同径のまま延長するか或いは内径側へ窪んで延長する基端延長部１２１を有し、
ワッシャ構造２はワッシャ孔２１内の一面寄りの位置に、締めつけ部１２の基端部の解放時の外形よりも小さい孔形状として内方突出した第二縮径部２３ｔを有してなり、前記最小径部２２ｔが締めつけ部１２を締めつける状態の位置関係において、第二縮径部２３ｔが基端延長部１２１の外周に位置する請求項１、２又は３のいずれか記載の緩み止め螺合構造。
【発明の詳細な説明】
【技術分野】
【０００１】
本発明は、ボルト、ナット構造とワッシャとを使用して螺合締結するための螺合構造であって、緩み止め機能を有するものに関する。
【背景技術】
【０００２】
従来の緩み止め構造として、ナットの内螺子内にボルトに歯合する歯合爪付きのボルトが開示される。
【０００３】
このような緩み止め機能（逆回転防止機能）を有するボルト及びナット構造として、例えばねじ山４を横切って軸方向に延びる係合溝６が形成されているボルト１と、このボルトに螺合するナット２とにより構成されるものが開示される（特許文献１参照）。個のボルト及びナット構造においては、ナットの頂面部に、係合溝に係合してナットの緩み方向Ｌへの回転を阻止する弾性金属板製の係合爪が、ボルトとの螺合前においては半径内向きに突出するように取付けられている。そしてナットとボルトとが螺合すると、係合爪はボルトの外周面に重なるように押し曲げられて係合溝に係合する、とされる。
【先行技術文献】
【特許文献】
【０００４】
【特許文献１】特開２００４−２１１７５３号公報
【発明の概要】
【発明が解決しようとする課題】
【０００５】
しかしながら上記従来のナット構造では、ナット内に取り付けた弾性金属板製の係合爪がボルトのネジ山側に突出しておさえることで緩み止め効果を出すものであるため、確実に所定以上の緩み止めの機能を果たすものとはいえなかった。
【０００６】
特に、上記従来の緩み止めナットを含め、ボルト、ナットによる締結体において、ボルトやナットの強度や材質が考慮されるものの、座金を含めた螺合構造全体での締め付け保持力が考慮されることは少なかった。また、この種の締め付けによる螺合構造において、締めつけ時の締め付けトルクは重要視されるものの、締めつけ後の締結軸力は不明であった。
【０００７】
そこで本発明は、確実に所定以上の緩み止めの機能を果たすことができ、さらに、螺合構造全体での締め付け軸力の保持性を確保することのできる緩み止め螺合構造を提供することを課題とする。
【課題を解決するための手段】
【０００８】
上記課題を解決すべく本発明では下記（１）〜（４）の手段を講じている。
【０００９】
（１）本発明の緩み止め螺合構造は、ナット部１１の一端から延設され、ナット部１１の内螺子から連設する内螺子延長部を有した締めつけ部１２を具備するナット構造１と、
前記締め付け部１２を挿通可能なワッシャ孔２１を有した板状のワッシャ構造２とを具備してなり、
前記ワッシャ孔２１は、ワッシャ板の一面側に形成された、締めつけ部１２の解放時の外形よりも大きい孔形状からなる大径部から、板厚さ方向へ縮径して前記外形の最小部よりも小さい孔形状の小さい最小径部に至る縮径構造を、それぞれワッシャ板の一面側から他面寄りの位置にかけて有し、
ナット構造の締結によってワッシャ構造２とナット構造１とが近接することで、ワッシャ孔２１内での締め付け部１２の収容位置がずれて、最小径部が締めつけ部１２を周着して締めつけることで、内螺子延長部がボルトの外螺子を圧着締結することを特徴とする。
【００１０】
（２）前記締め付け部１２は、軸方向の延長先端に向かって外形が縮径してなる先端縮径部１２０を有し、前記ワッシャ孔２１は、前記先端縮径部１２０の長さ方向の縮径率よりも大きな縮径率で縮径した最縮径部分に前記最小径部２２を有することが好ましい。
【００１１】
（３）前記最小径部２２はワッシャの他面よりもワッシャ孔２１内へずれた位置に形成されることが好ましい。
【００１２】
（４）締めつけ部１２は、ナット部１１寄りの軸位置に、ナット部１１から同径のまま延長するか或いは内径側へ窪んで延長する基端延長部１２１を有し、
ワッシャ構造２はワッシャ孔２１内の一面寄りの位置に、締めつけ部１２の基端部の解放時の外形よりも小さい孔形状として内方突出した第二縮径部２３を有してなり、前記最小径部２２が締めつけ部１２を締めつける状態の位置関係において、第二縮径部２３が基端延長部１２１の外周に位置することが好ましい。
【発明の効果】
【００１３】
本発明は上記手段を講じることで、ナットの内螺子を延長させた部分がワッシャ孔への挿通によって締めつけられ、ボルトのネジ山を螺合接触したまま押さえ込むという構造となっている。このため、要求される性能に応じたワッシャ孔形状等のワッシャ構造を使用することで、確実に所定以上の緩み止めの機能を果たすことができ、さらに、螺合構造全体での締め付け軸力の保持性を確保することのできる緩み止め螺合構造を提供することができる。
【図面の簡単な説明】
【００１４】
【図１】実施例１のナット構造及びワッシャ構造の締め付け前後の各状態（ａ）（ｂ）を示す側面視軸断面説明図。
【図２】実施例１のナット構造及びワッシャ構造の締め付け前後の各状態（ａ）（ｂ）を示す底面視説明図。
【図３】実施例１のナット構造及びワッシャ構造の締め付け前後の状態を示す平面視説明図。
【図４】実施例２のナット構造及びワッシャ構造の締め付け前の状態を示す側面視軸断面説明図。
【図５】実施例３のナット構造及びワッシャ構造の締め付け前の状態を示す側面視軸断面説明図。
【図６】実施例４のナット構造及びワッシャ構造の締め付け後の状態を示す側面視軸断面説明図。
【図７】実施例４のナット構造及びワッシャ構造を示す図６のＡ−Ａ線断面図。
【図８】実施例４のナット構造及びワッシャ構造を示す図６のＢ−Ｂ線断面図。
【図９】実施例４のナット構造及びワッシャ構造を示す図６のＣ−Ｃ線断面図。
【図１０】実施例５のワッシャ構造の側面視断面説明図。
【図１１】実施例６のナット構造、ワッシャ構造及びカバー構造の側面視断面説明図。
【発明を実施するための形態】
【００１５】
以下、本発明の実施形態につき各図と共に説明する。本発明の緩み止め螺合構造は基本的に、
・ナット部１１の一端から延設され、ナット部１１の内螺子から連設する内螺子延長部を有した締めつけ部１２を具備するナット構造１と、
・前記締め付け部１２を挿通可能なワッシャ孔２１を有した板状のワッシャ構造２とを具備する。
【００１６】
いずれの実施例においてもナット構造１は、内螺子延長部を内孔形成して同軸状に延設され、外周からの締結によって縮径可能な締めつけ部１２を有する。
【００１７】
またいずれの実施例においてもワッシャ孔２１は、ワッシャ板の一面側に形成された、締めつけ部１２の解放時の外形よりも大きい孔形状からなる大径部から、板厚さ方向へ縮径して前記外形の最小部よりも小さい孔形状の小さい最小径部に至る縮径構造を、それぞれワッシャ板の一面（ワッシャ上面２Ａ）側から他面（ワッシャ下面２Ｂ）寄りの位置にかけて有する。
【００１８】
そしていずれの実施例においても、締め付け前の状態から締め付け状態となるとき、ナット構造の締結によってワッシャ構造２とナット構造１とが近接することで、ワッシャ孔２１内での締め付け部１２の収容位置がずれて、最小径部が締めつけ部１２を周着して締めつけることで、内螺子延長部がボルトの外螺子を圧着締結する。内螺子の延長部の螺合構造を利用した、面接触による圧着締結であり、かつワッシャの挿通に伴うワッシャ孔による締めつけ部１２の周着構造であるから、複数種類の形状のワッシャ孔やワッシャ厚さのワッシャ構造を用意することで、周着力を調節することも可能である。
【００１９】
締め付け部１２は、軸方向の延長先端に向かって外形が縮径してなる先端縮径部１２０を有する。このうち実施例１，３，５，６においては、前記ワッシャ孔の孔面は凹面状に湾曲形成されており、前記先端縮径部１２０の長さ方向の縮径率よりも大きな縮径率で縮径した最縮径部分に前記最小径部２２を有することで、最小径部２２による締め付け部への締め付け力を締めつけ後も確実に確保するものとしている。
【００２０】
実施例２を除く実施例１、３乃至６の最小径部２２はワッシャの他面よりもワッシャ孔２１内へずれた位置に形成される。
【００２１】
実施例１を除く実施例２〜６の締めつけ部１２は、ナット部１１寄りの軸位置に、ナット部１１から同径のまま延長するか或いは内径側へ窪んで延長する基端延長部１２１を有する。
【００２２】
実施例１，２，６を除く実施例３，４、５のワッシャ構造２はワッシャ孔２１内の一面寄りの位置に、締めつけ部１２の基端部の解放時の外形よりも小さい孔形状として内方突出した第二縮径部２３を有してなり、前記最小径部２２が締めつけ部１２を締めつける状態の位置関係において、第二縮径部２３が基端延長部１２１の外周に位置する。
【００２３】
実施例６はワッシャ構造に外ネジ部が設けられると共に、これに螺合してナット構造の鍔部１３を覆う円形断面のカバー構造３を具備する。カバー構造３はナット部１１のナット面に張り出してバネ固定する固定板３３を有しており、ナット構造とワッシャ構造との締めつけ後の固定状態を長期間確保するものとしている。
【００２４】
図１〜３に示す実施例１の緩み止め螺合構造において、ナット構造は六角柱状のナット部１１の下端に扁平部分円錐状の鍔部１３が下方へ拡径して張り出してなり、さらにその下方へ向かって一定の割合で縮径する外形部分円錐面状の締めつけ部１２が延設される。図１ａ、図２ａに示す締めつけ前の解放状態において、ナット部１１の上端から締めつけ部の下端に亘って等径に内螺子が形成される。締め付け部１２は軸断面視傾斜直線状の外縁と、軸と直交する円弧状の底面と、軸と並行な円環状の内螺子延長部を有した部分円錐環体において、その全高さに沿って、複数カ所を位相方向へ等間隔毎に切り欠いた離間部Ｄが形成されてなる。この離間部Ｄは解放状態では平行な離間幅であるが、締め付け状態ではワッシャ構造の最小径部２２によって下端側が小幅となって、離間した締めつけ部１２の各片同士が近接する。
【００２５】
実施例１のワッシャ構造は断面弧状の凹曲面で形成されるワッシャ孔を有する。実施例の最大径部２２はワッシャ下面２Ｂよりわずかにワッシャ孔側へずれた位置に形成され、最小径部２０はワッシャ上面に形成される。
【００２６】
図４に示す実施例２のワッシャ構造は部分円錐状の断面傾斜直線縁で形成されるワッシャ孔を有し、最大径部２２はワッシャ下面２Ｂ上の位置に形成され、最小径部２０はワッシャ上面２Ａ上の位置に形成される。実施例２の締め付け部１２として、長さ方向に等しい径の円環状の基端延長部１２１が設けられる。
【００２７】
図５に示す実施例３の締め付け部１２として、中心側にくぼんだ断面半円弧状の窪みを外形に有する基端延長部１２１が設けられる。
【００２８】
図６〜９に示す実施例４のワッシャ構造は断つきのワッシャ孔内に２枚の環状板２２，２３が埋設される。
【符号の説明】
【００２９】
ナット部１１
内螺子延長部
締めつけ部１２
ナット構造１
ワッシャ孔２１
ワッシャ構造２
大径部
最小径部
先端縮径部１２０
基端延長部１２１
最小径部２２
第一ワッシャ面
第二ワッシャ面
第二縮径部２３
【図１】
2012017814.tif 000003
【図２】
2012017814.tif 000004
【図３】
2012017814.tif 000005
【図４】
2012017814.tif 000006
【図５】
2012017814.tif 000007
【図６】
2012017814.tif 000008
【図７】
2012017814.tif 000009
【図８】
2012017814.tif 000010
【図９】
2012017814.tif 000011
【図１０】
2012017814.tif 000012
【図１１】
2012017814.tif 000013